(57)【要約】【課題】着用時の肌当たりを向上させた吸収性物品を提供する。【解決手段】互いに直交する長手方向、幅方向、及び厚さ方向を備え、液体吸収性繊維を有する吸収体（１０）と、前記厚さ方向において、前記吸収体（１０）より非肌側に配置された非肌側シート（３０）と、を有する吸収性物品（１）であって、前記吸収体（１０）の前記幅方向における中央領域には、非肌側面に形成された、前記長手方向に沿った凹部（１５）と肌側面に形成された、前記長手方向に沿った一対の肌側凹部（Ｐ）と、が設けられており、前記幅方向において、前記一対の肌側凹部（Ｐ）は、前記凹部（１５）の最も深い最深部（１５ｍ）の両外側に設けられており、前記最深部（１５ｍ）は、前記肌側凹部（Ｐｍ）より深い。【選択図】図８
2018149351.tif 000002
【特許請求の範囲】
【請求項１】
互いに直交する長手方向、幅方向、及び厚さ方向を備え、
液体吸収性繊維を有する吸収体と、
前記厚さ方向において、前記吸収体より非肌側に配置された非肌側シートと、
を有する吸収性物品であって、
前記吸収体の前記幅方向における中央領域には、
非肌側面に形成された、前記長手方向に沿った凹部と
肌側面に形成された、前記長手方向に沿った一対の肌側凹部と、
が設けられており、
前記幅方向において、前記幅方向の中心線が前記凹部と重なっており、
前記幅方向において、前記一対の肌側凹部は、前記凹部の最も深い最深部の両外側に設けられており、
前記最深部は、前記肌側凹部より深く、
前記吸収体のうち、前記最深部に接している部位の繊維密度は、前記肌側凹部の最も深い部分に接している部位の繊維密度よりも高いことを特徴とする吸収性物品。
【請求項２】
請求項１に記載の吸収性物品において、
前記厚さ方向において前記凹部に肌側から隣接する肌側部位の繊維密度は、前記幅方向において前記凹部に外側から隣接する外側部位の繊維密度よりも高いことを特徴とする吸収性物品。
【請求項３】
請求項１又は２に記載の吸収性物品において、
前記厚さ方向において前記凹部に肌側から隣接する部位を肌側部位としたとき、
前記幅方向において、前記凹部の最も深い最深部が設けられている位置における前記液体吸収性繊維の繊維密度は、前記肌側部位のうちの、前記最深部が設けられている位置に隣接する部分の前記繊維密度よりも高いことを特徴とする吸収性物品。
【請求項４】
請求項１から３のいずれか１項に記載の吸収性物品において、
前記最深部と、前記幅方向において重なる位置における前記吸収体の前記厚さ方向の中央は、
前記幅方向において前記凹部に外側から隣接する外側部位と前記幅方向において重なる位置における、前記吸収体の前記厚さ方向の中央より、前記肌側に位置することを特徴とする吸収性物品。
【請求項５】
請求項１から４のいずれか１項に記載の吸収性物品において、
前記一対の肌側凹部の少なくとも一部は、前記凹部と前記幅方向において重なっていることを特徴とする吸収性物品。
【請求項６】
請求項１から５のいずれか１項に記載の吸収性物品において、
前記凹部の前記幅方向の長さは、前記一対の肌側凹部のそれぞれの前記幅方向の長さより長いことを特徴とする吸収性物品。
【請求項７】
請求項１から６のいずれか１項に記載の吸収性物品において、
前記幅方向において、
一方側の前記肌側凹部の一方側端と、他方側の前記肌側凹部の他方側端との間における中央部に、前記最深部が設けられていることを特徴とする吸収性物品。
【請求項８】
請求項１から７のいずれか１項に記載の吸収性物品において、
前記凹部は、着用時に少なくとも股間部に位置する股間部位に設けられており、
前記股間部位における前記凹部の最も深い最深部と、前記非肌側シートとは離間しており、
前記最深部の深さは、前記最深部から前記吸収体の肌側面までの厚さより大きいことを特徴とする吸収性物品。
【請求項９】
請求項１から８のいずれか１項に記載の吸収性物品において、
前記厚さ方向において前記凹部に肌側から隣接する肌側部位が前記肌側に突出していることを特徴とする吸収性物品。
【請求項１０】
請求項１から９のいずれか１項に記載の吸収性物品において、
前記厚さ方向において、前記吸収体より肌側に配置された肌側シートを有しており、
前記吸収体と前記肌側シートは、接着剤で接着されており、
前記肌側凹部の最も深い部分と前記肌側シートは接着されていないことを特徴とする吸収性物品。
【発明の詳細な説明】
【技術分野】
【０００１】
本発明は、吸収性物品に関する。
【背景技術】
【０００２】
経血等の排泄液を吸収する吸収性物品として生理用ナプキンが知られている。このような生理用ナプキンの例として、特許文献１には、吸収性積層体１からなる生理用ナプキンが示されている。吸収性積層体１のコア８には、肌非当接面５側に、縦方向中心線２に沿った変形誘導手段１４と、弾性伸縮部材１７からなる変形付与手段１５が設けられており、変形付与手段１５の収縮作用によって、変形誘導手段１４を肌側に向けた凸形に変形させて、着用者の陰部への密着性を向上させている。
【先行技術文献】
【特許文献】
【０００３】
【特許文献１】特開平１１−９９１７０号公報
【発明の概要】
【発明が解決しようとする課題】
【０００４】
しかし、特許文献１の吸収性積層体１においては、着用者の陰部に当接する部分が、吸収性積層体１の肌側に向かって凸形に変形させた頂点部分となるため、着用者は、頂点部分が当接した部分について、着用者に違和感を生じさせる恐れがあった。
【０００５】
本発明は、上記のような問題に鑑みてなされたものであって、着用者の肌当たりを向上させた吸収性物品を提供することにある。
【課題を解決するための手段】
【０００６】
上記目的を達成するための主たる発明は、
互いに直交する長手方向、幅方向、及び厚さ方向を備え、液体吸収性繊維を有する吸収体と、前記厚さ方向において、前記吸収体より非肌側に配置された非肌側シートと、を有する吸収性物品であって、前記吸収体の前記幅方向における中央領域には、非肌側面に形成された、前記長手方向に沿った凹部と肌側面に形成された、前記長手方向に沿った一対の肌側凹部と、が設けられており、前記幅方向において、前記幅方向の中心線が前記凹部と重なっており、前記幅方向において、前記一対の肌側凹部は、前記凹部の最も深い最深部の両外側に設けられており、前記最深部は、前記肌側凹部より深く、前記吸収体のうち、前記最深部に接している部位の繊維密度は、前記肌側凹部の最も深い部分に接している部位の繊維密度よりも高いことを特徴とする吸収性物品である。
本発明の他の特徴については、本明細書及び添付図面の記載により明らかにする。
【発明の効果】
【０００７】
本発明によれば、非肌側面に形成された凹部によって、吸収体が肌側に隆起するように変形したときに、各肌側凹部の間の領域が着用者の肌に当たりやすくなる。このとき、一対の肌側凹部を設けない場合よりもより平面に近い領域で着用者の肌に接触させることができるため、肌当たりを向上させることができる。
【図面の簡単な説明】
【０００８】
【図１】図１は、生理用ナプキン１を厚さ方向の肌側から見た正面図である。
【図２】図２は、ナプキン１を厚さ方向の非肌側から見た平面図である。
【図３】図３は、図１中のＡ−Ａ矢視で示す概略断面である。
【図４】図４は、ナプキン１の吸収体１０を厚さ方向の非肌側から見た平面図である。
【図５】図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。
【図６】図６は、一対のロール部５０の概略拡大図である。
【図７】図７は、ナプキン１の使用態様について説明する図である。
【図８】図８Ａは、図５Ｄにおける凹部１５の概略断面図である。図８Ｂは、図８Ａ中における部分Ｚの拡大図である。
【図９】図９Ａは、使用前のナプキン１の凹部１５を説明する図である。図９Ｂは、着用状態のナプキン１の凹部１５を説明する図である。
【図１０】図１０Ａは、使用前のナプキン１００の凹部１５０を説明する図である。図１０Ｂは、着用状態のナプキン１００の凹部１５０を説明する図である。
【図１１】図１１は、一対のロール部５０の変形例である。
【発明を実施するための形態】
【０００９】
本明細書及び添付図面の記載により、少なくとも以下の事項が明らかとなる。  
互いに直交する長手方向、幅方向、及び厚さ方向を備え、液体吸収性繊維を有する吸収体と、前記厚さ方向において、前記吸収体より非肌側に配置された非肌側シートと、を有する吸収性物品であって、前記吸収体の前記幅方向における中央領域には、非肌側面に形成された、前記長手方向に沿った凹部と肌側面に形成された、前記長手方向に沿った一対の肌側凹部と、が設けられており、前記幅方向において、前記一対の肌側凹部は、前記凹部の最も深い最深部の両外側に設けられており、前記最深部は、前記肌側凹部より深いことを特徴とする吸収性物品である。
【００１０】
このような吸収性物品によれば、非肌側面に形成された凹部によって、吸収体が肌側に隆起するように変形したときに、各肌側凹部の間の領域が着用者の肌に当たりやすくなる。このとき、一対の肌側凹部を設けない場合よりもより平面に近い領域で着用者の肌に接触させることができるため、肌当たりを向上させることができる。
【００１１】
かかる吸収性物品において、前記厚さ方向において前記凹部に肌側から隣接する肌側部位の繊維密度は、前記幅方向において前記凹部に外側から隣接する外側部位の繊維密度よりも高いことが望ましい。
【００１２】
このような吸収性物品によれば、着用時に肌側に隆起するように折れ曲がると、排泄口に当接される繊維密度が高い肌側部位によって、より速く排泄物を吸収することができる。
【００１３】
かかる吸収性物品において、前記厚さ方向において前記凹部に肌側から隣接する部位を肌側部位としたとき、前記幅方向において、前記凹部の最も深い最深部が設けられている位置における前記液体吸収性繊維の繊維密度は、前記肌側部位のうちの、前記最深部が設けられている位置に隣接する部分の前記繊維密度よりも高いことが望ましい。
【００１４】
このような吸収性物品によれば、最深部の肌側部位が着用者の肌に触れたときに、より繊維密度の高い最深部に対応する部分だけでなく、より繊維密度が低い隣接部分にも触れさせることができるため、着用者の肌当たりを向上させることができる。
【００１５】
かかる吸収性物品において、前記最深部と、前記幅方向において重なる位置における前記吸収体の前記厚さ方向の中央は、前記幅方向において前記凹部に外側から隣接する外側部位と前記幅方向において重なる位置における、前記吸収体の前記厚さ方向の中央より、前記肌側に位置することが望ましい。
【００１６】
このような吸収性物品によれば、着用時に肌側に隆起するように折れ曲がりやすくなり、排泄口にフィットしやすくなり、排泄物をより速く吸収しやすくなる。
【００１７】
かかる吸収性物品において、前記一対の肌側凹部の少なくとも一部は、前記凹部と前記幅方向において重なっていることが望ましい。
【００１８】
このような吸収性物品によれば、凹部と肌側凹部とが幅方向において重なっている状態においては、一対の肌側凹部の間の領域が着用時に着用者の肌に触れる部分となりやすくなり、肌当たりを向上させることができる。
【００１９】
かかる吸収性物品において、前記凹部の前記幅方向の長さは、前記一対の肌側凹部のそれぞれの前記幅方向の長さより長いことが望ましい。
【００２０】
このような吸収性物品によれば、着用時に肌側に隆起するように折れ曲がりやすくなり、排泄口にフィットしやすくなり、排泄物をより速く吸収しやすくなる。
【００２１】
かかる吸収性物品において、前記吸収体のうち、前記最深部に接している部位の繊維密度は、前記肌側凹部の最も深い部分に接している部位の繊維密度よりも高いことが望ましい。
【００２２】
このような吸収性物品によれば、着用時に肌側に隆起するように折れ曲がりやすくなり、排泄口にフィットしやすくなり、排泄物をより速く吸収しやすくなる。
【００２３】
かかる吸収性物品において、前記幅方向において、一方側の前記肌側凹部の一方側端と、他方側の前記肌側凹部の他方側端との間における中央部に、前記最深部が設けられていることが望ましい。
【００２４】
このような吸収性物品によれば、左右対称に肌側に隆起するように折れ曲がりやすくなり、排泄口にフィットしやすくなり、排泄物をより速く吸収しやすくなる。
【００２５】
かかる吸収性物品において、前記凹部は、着用時に少なくとも股間部に位置する股間部位に設けられており、前記股間部位における前記凹部の最も深い最深部と、前記非肌側シートとは離間しており、前記最深部の深さは、前記最深部から前記吸収体の肌側面までの厚さより大きいことが望ましい。
【００２６】
このような吸収性物品によれば、少なくとも股間部位に線状誘導部を設けることで、臀部だけに誘導部を設けた場合よりも、着用時に、凹部によって肌側に突出するように変形させやすくすることができ、吸収体を排泄口に対応する部分にフィットさせて、排泄物をより速く吸収することができる。また、最深部の深さが最深部から吸収体の肌側面までの厚さより大きく、最深部と非肌側シートが離間しているため、非肌側シートによって肌側へ隆起する変形が妨げられてしまう恐れを軽減し、より肌側に隆起する変形させやすくなる。
【００２７】
かかる吸収性物品において、前記厚さ方向において前記凹部に肌側から隣接する肌側部位が前記肌側に突出していることが望ましい。
【００２８】
このような吸収性物品によれば、使用者は使用前の時点で凹部が形成されていることを知ることができるため、着用時にフィットするものであることを認識することができる。また、使用前に凹部が形成された中央領域の位置を認識することができるため、吸収性物品の中央位置を下着の中央に合わせやすくなる。
【００２９】
かかる吸収性物品において、前記厚さ方向において、前記吸収体より肌側に配置された肌側シートを有しており、前記吸収体と前記肌側シートは、接着剤で接着されており、前記肌側凹部の最も深い部分と前記肌側シートは接着されていないことが望ましい。
【００３０】
このような吸収性物品によれば、一対の肌側凹部が肌側シートによって固定されることを軽減するため、最深部をより維持しやすくなり、着用者の肌当たりを向上させることができる。
【００３１】
＝＝＝第１実施形態＝＝＝
＜生理用ナプキン１の基本的構成＞
本実施形態に係る吸収性物品の一例として生理用ナプキン１（以下、「ナプキン１」という。）について説明する。なお、以下の説明では、吸収性物品の例として生理用ナプキンについて説明するが、本実施形態の吸収性物品には、所謂おりものシート（例えば、パンティーライナー）等も含まれており、生理用ナプキンに限定されるものではない。
【００３２】
図１は、生理用ナプキン１を厚さ方向の肌側から見た正面図である。図２は、ナプキン１を厚さ方向の非肌側から見た平面図である。図３は、図１中のＡ−Ａ矢視で示す概略断面である。また、以下の説明では、ナプキン１の製品長手方向に沿った「長手方向」と、ナプキン１の製品短手方向に沿って長手方向と直交する「幅方向」と、長手方向及び幅方向とそれぞれ直交する「厚さ方向」と定義する。長手方向は、ナプキン１の使用時において着用者の腹側となる「前側」と、着用者の背側となる「後側」とを有する。厚さ方向は、ナプキン１の着用時に着用者の肌と当接する側（図３において上側）である「肌側」（「上側」ともいう。）と、その反対側（図３において下側）である「非肌側」（「下側」ともいう。）とを有する。また、図中のＸ−Ｘ線は幅方向における中心線である。
【００３３】
ナプキン１は、平面視縦長形状のシート状部材であり、液透過性のトップシート（肌側シート）２０と、液吸収性の吸収体１０と、液不透過性のバックシート（非肌側シート）３０とが厚さ方向の肌側から非肌側へと順に積層されている（図３参照）。そして、これら各部材２０、１０、３０は、それぞれ厚さ方向に隣接する部材と、ホットメルト接着剤等の接着剤ＨＭＡで接合されている。なお、接着剤ＨＭＡは、吸収体１０の肌面側及び非肌面側のそれぞれ全域に亘って任意の塗布パターンで塗布されており、Ωパターンやスパイラルパターン、ストライプパターン等の塗布パターンから選択することができる。
【００３４】
トップシート２０及びバックシート３０の平面形状は同形状であり、その平面サイズは、吸収体１０の平面サイズよりも大きい。そして、図１及び図２に示すように、両シート２０、３０の外周縁部２０ｅ、３０ｅ同士が接着又は溶着で接合されることにより、両シート２０、３０同士の間に吸収体１０が保持される。また、ナプキン１を下着（不図示）に載置固定する際に供される固定部となる、トップシート２０及びバックシート３０の長手方向の略中央部が幅方向の外側に延出したウイング部２０ｗ、３０ｗが形成されている。
【００３５】
吸収体１０は、吸収性コア１１と上側シート１２と下側シート１３とを有する。吸収性コア１１は、経血等の液体（排泄液）を吸収して保持する部材である。吸収性コア１１は、液体吸収性繊維であるセルロース系吸収性繊維と、熱可塑性樹脂繊維とを有し、これらの繊維同士が互いに混合した状態で、図１の破線で示されるように平面視縦長形状に成形されている。例えば、液体吸収性繊維としてはパルプ繊維等が使用され、熱可塑性樹脂繊維としては、鞘がポリエチレン（ＰＥ）で芯がポリエチレンテレフタレート（ＰＥＴ）の所謂鞘芯構造の複合繊維等が使用される。なお、この液体吸収性繊維としてレーヨン繊維を用いてもよく、熱可塑性樹脂繊維としてポリプロピレン（ＰＰ）の単独繊維や、ＰＥの単独繊維を用いてもよい。また、高吸収性ポリマー（所謂ＳＡＰ）等の液体吸収性粒状物を液体吸収性繊維に加えてもよい。
【００３６】
上側シート１２は、吸収性コア１１と平面形状が略同形のシート部材であり、吸収性コア１１の肌側面を覆うようにして接着剤ＨＭＡによって接合されている（図３）。上側シート１２は、エアスルー不織布等の不織布やティッシュペーパー等の、液透過性に優れた柔軟なシートが用いられる。下側シート１３は、吸収性コア１１と平面形状が略同形のシート部材であり、吸収性コア１１の非肌側面を覆うようにして接着剤ＨＭＡによって接合されている（図３）。下側シート１３は、ＳＭＳ（スパンボンド／メルトブローン／スパンボンド）不織布等の不織布やティッシュペーパー等の柔軟なシートが用いられる。
【００３７】
図４は、ナプキン１の吸収体１０を厚さ方向の非肌側から見た平面図である。図４は、便宜上、ナプキン１の外形を点線で示している。吸収体１０には、吸収体１０の剛性を高め、液体の吸収性及び拡散性を向上させるために、複数の吸収体点状圧搾部ＥＤ１０が設けられている。吸収体点状圧搾部ＥＤ１０の平面形状は略円形であり、千鳥状の配置パターンとされているが、何等これに限らない。また、吸収体１０の厚みは、３ｍｍ以下、望ましくは２ｍｍ以下であり、吸収体１０の繊維密度は、１．０×１０５〜４．０×１０５（ｇ／ｍ３）で、概ね均一である。ただし、吸収体１０の単位面積当たりの繊維の質量は、長手方向における前側部と中央部と後側部とで異なっている。本実施形態において、液体吸収性繊維の単位面積当たりの質量（重量）は、前側部は１７５（ｇ／ｍ２）、中央部は２５０（ｇ／ｍ２）、後側部は１７５（ｇ／ｍ２）であり、中央部の単位面積当たりの繊維の質量が最も多く、前側部及び後側部の吸収体１０の厚み（ｔｂ１０）より、中央部の吸収体１０（ｔ１０）の厚みの方が大きい（ｔ１０＞ｔｂ１０）。
【００３８】
吸収体１０の前側部、中央部、後側部の各厚み、単位面積当たりの繊維の質量、及び液体吸収性繊維の密度（「繊維密度」ともいう。）は周知の方法で測定することができる。例えば、各厚みは、ミツトヨ（株）製のダイアルシックネスゲージＩＤ−Ｃ１０１２Ｃ又はそれと同等のものを使用し、接触子の面積を２０ｃｍ２、接触圧を３ｇｆ／ｃｍ２に設定して対象部位を加圧して測定したり、その他、目視で比較したり、ナプキン１を長手方向に切った断面を撮影した画像を用いて比較したりしてもよい。また、単位面積当たりの繊維の質量は、例えば、対象部位をナプキン１から対象サンプルとして切り出し、対象サンプルの質量を直示天秤（例えば、研精工業株式会社製  電子天秤ＨＦ−３００）で測定し、対象サンプルの面積を測定し、単位面積当たりの質量を算出してもよい。繊維の密度は、例えば、対象部位をナプキン１から対象サンプルとして切り出し、上述の測定方法で対象サンプル単位面積当たりの質量（ｇ／ｍ２）を測定し、上述の測定方法で対象サンプルの厚さ（ｍ）を測定して、対象サンプル単位面積当たりの質量を対象サンプルの厚さで除することで算出することができる（ｇ／ｍ３）。
【００３９】
さらに、吸収体１０の非肌側面には、幅方向の中央領域に、長手方向に沿った線状の凹部１５が形成されている。凹部１５は、着用時に少なくとも股間部に位置する股間部位を含む、吸収体１０の長手方向の全長に亘って略直線状に設けられている。なお、「股間部位」とは、着用者がナプキン１を使用した際に股間部に位置する領域であり、具体的には、ナプキン１の長手方向においてウイング粘着部４０ｗが形成されている領域をいう。凹部１５は、着用時に厚さ方向の肌側に突出して折れ曲がるように誘導する。凹部１５の詳細は、後述する。
【００４０】
トップシート２０は、ナプキン１の使用時において着用者の肌と当接する部材であり、経血等の液体を厚さ方向の肌側から非肌側に透過させ、吸収体１０に移動させる。トップシート２０は、エアスルー不織布等の適宜な不織布の液透過性の柔軟なシートが用いられる。
【００４１】
図１に示すように、トップシート２０の肌側面には、肌側から複数の圧搾部（線状圧搾部ＥＬと、本体点状圧搾部ＥＤ２０）が形成されており、これにより、トップシート２０と吸収体１０とが一緒に厚さ方向に圧搾されて接合一体化されている。線状圧搾部ＥＬは、吸収体１０の外周縁部に沿って複数連なって形成されていて、全体として長手方向に長い略環状をなしている。一方、本体点状圧搾部ＥＤ２０は略円形で、線状圧搾部ＥＬがトップシート２０上に区画する略閉じた領域内に離散的に形成されている。
【００４２】
バックシート３０は、ナプキン１の使用時においてトップシート２０を透過して吸収体１０によって吸収された液体が下着等の着衣側（非肌側）に染み出すことを抑制する。バックシート３０は、ポリエチレン（ＰＥ）等の適宜な樹脂フィルムの液不透過性の柔軟なシートが用いられる。
【００４３】
図２に示すように、バックシート３０の非肌面側には、ナプキン１の使用時にナプキン１を下着等に貼付して固定するための接着部（ウイング接着部４０ｗ、本体接着部４０ｃ）が設けられている。ウイング接着部４０ｗは、ウイング部３０ｗの非肌面側に略矩形状に形成される一対の接着部である。本体接着部４０ｃは、１対のウイング接着部４０ｗの幅方向の間の部分に、バックシート３０と吸収体１０とが重複する部分で長手方向に沿った複数の帯状の領域に適宜な接着剤ＨＭＡを塗布することにより形成されている。ナプキン１を使用する際は、本体接着部３０ｃを下着の股下部（クロッチ部）内側に貼付した状態で下着ごとナプキン１を装着することで、着用者の身体に対して吸収体１０の位置がずれないようにする。同様に、ウイング接着部４０ｗは、ウイング部３０ｗの領域に、略矩形形状の領域に適宜な接着剤ＨＭＡを塗布して形成している。ナプキン１を使用する際は、ウイング部３０ｗ（２０ｗ）を非肌側に折り曲げて、ウイング接着部４０ｗを下着の股下部の外側に貼付するようにしてナプキン１が固定され、使用時の位置ずれ等を抑制する。
【００４４】
＜点状圧搾部ＥＤ１０、ＥＤ２０、及び凹部１５の形成について＞
続いて、点状圧搾部ＥＤ１０、ＥＤ２０及び凹部１５の形成について説明する。吸収体点状圧搾部ＥＤ１０及び本体点状圧搾部ＥＤ２０は、肌側又は非肌側から厚さ方向に圧搾することによって設けられており、少なくとも肌側又は非肌側が凹んでいる。凹部１５は、長手方向に沿った線状の圧搾部であり、吸収体１０（ナプキン１）の幅方向の中心線Ｘ−Ｘを含む中央領域に設けられており、略矩形状で、所定の面積を有する。また、凹部１５は、吸収体１０の非肌面側から厚さ方向に圧搾して設けられた非肌側面が凹んだ線状の凹部である。
【００４５】
図５Ａ〜図５Ｄは、点状圧搾部ＥＤ１０、ＥＤ２０、及び凹部１５の形成について説明した図である。図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。なお、図５Ａにおける吸収体１０は、図１中のＢ−Ｂ矢視で示す部分の吸収体１０であって、点状圧搾部ＥＤ１０、ＥＤ２０及び凹部１５を形成する前の加工前の吸収体１０に吸収体点状圧搾部ＥＤ１０を形成した状態を示しており、図５Ｂは、図５Ａの吸収体１０に凹部１５を形成した加工途中の状態を示しており、図５Ｄは、吸収体１０に点状圧搾部ＥＤ１０、ＥＤ２０及び凹部１５を形成した加工後の吸収体１０を示しており、便宜上、吸収体１０として示している。また、図５Ａ、図５Ｂ、図５Ｃ中のｙ−ｙ線は厚さ方向における吸収体１０の中心線であり、図５Ｄ中のＹ−Ｙは、厚さ方向におけるナプキン１の中心線である。なお、中心線Ｙ−Ｙは、ナプキン１の厚さ方向における中心線であり、後述の吸収体１０の外側領域Ｌの厚さ方向における中心線でもある。
【００４６】
まず、吸収体点状圧搾部ＥＤ１０を形成する。加工前の吸収体１０は、その全域に亘って厚みｔ１０を有しており、吸収体１０の肌側の面は肌側面１０ｔ、非肌側の面は非肌側面１０ｂである。複数の突部を有する凸ローラー（不図示）と、表面が平らなアンビルローラー（不図示）との間のロール間隙に、加工前の吸収体１０を通して、吸収体１０の非肌側から圧搾加工を行うことにより吸収体点状圧搾部ＥＤ１０が形成される。
【００４７】
図５Ａに示すように、吸収体点状圧搾部ＥＤ１０が形成された部分は、肌側及び非肌側のそれぞれから凹んでおり、吸収体１０の厚さ方向における略中央部に位置する。また、圧搾加工によって、吸収体点状圧搾部ＥＤ１０の吸収体１０の厚みは、厚みｔ１０より小さくなり、繊維が圧し潰されて、ｔ１０の厚みを有する部分より繊維密度が高くなっている。
【００４８】
続いて、凹部１５を形成する。凹部１５は、吸収体１０の幅方向における中央領域に圧搾加工を加えることで形成される（図５Ｂ）。具体的には、搬送方向に沿って駆動回転する上ロール５１ｕと下ロール５１ｄを有する一対のロール部５０を用いて形成する。
【００４９】
図６は、一対のロール部５０の概略拡大図である。吸収体１０は長手方向が搬送方向を向いた状態で搬送され、搬送方向と直交する方向を「ＣＤ方向」と定義した場合に、吸収体１０の幅方向は、基本的にＣＤ方向を向いている。
【００５０】
上ロール５１ｕには、回転方向の全周に亘って連続して環状に突出したリブ部５１ｒが設けられており、リブ部５１ｒの回転方向と直交する断面の形状は、上ロール５１ｕの回転半径方向の外側に向かうにつれてリブ幅が狭くなり、先端にはＣＤ方向に平行な頂面５１ｒｔを備える略等脚台形状を有している。形成された凹部１５のうち、頂面５１ｒｔが当接した部分の少なくとも一部が、後述する最深部１５ｍとなる。頂面５１ｒｔのＣＤ方向（幅方向）の長さは、０．５ｍｍ〜３．０ｍｍであることが好ましく、本実施形態においては、１．０ｍｍである。また、下ロール５１ｄには、外周面にリブ部５１ｒに対向する位置に、リブ部５１ｒを挿入することができる溝部５１ｍが回転方向の全周に亘って連続して環状に設けられており、溝部５１ｍの回転方向と直交する断面の形状も、下ロール５１ｄの回転半径方向の内側に向かうにつれて溝幅が狭くなりＣＤ方向に平行な底面５１ｍｂを備える略等脚台形状を有している。
【００５１】
凹部１５は、リブ部５１ｒを溝部５１ｍに押し込んで、頂面５１ｒｔが接触した部分の吸収体１０の厚みが最も薄くなるように圧搾加工を行うことで形成される。具体的には、上下ロール５１ｕ、５１ｄの間を搬送方向に沿って、吸収体１０の非肌側面１０ｂを上ロール５１ｕ、吸収体１０の肌側面１０ｔを下ロール５１ｄ側とした状態で、吸収体１０を通過させて、図６に示すように、加工前の吸収体１０の肌側面１０ｔよりも肌側に位置する部分まで、リブ部５１ｒを溝部５１ｍに押し込むことで形成される。また、下ロール５１ｄの外周面と溝部５１ｍとの境部分と当接する吸収体１０の部分Ｐ０に、後述の肌側凹部Ｐが形成される。
【００５２】
このとき、凹部１５のうち、頂面５１ｒｔと当接して吸収体１０の厚みが最も薄くなった部分の繊維密度が高くなる。凹部１５は、アンビルロールを用いて形成した点状圧搾部ＥＤ１０、ＥＤ２０とは異なり、リブ部５１ｒを溝部５１ｍに押し込むことによって形成しているため、点状圧搾部ＥＤ１０、ＥＤ２０よりも押し固めた加工を施している。
【００５３】
続いて、図５Ｃに示すように吸収体１０の肌側から、予め接着剤ＨＭＡを塗布したトップシート２０を積層し、固着する。
【００５４】
トップシート２０を積層した後、本体点状圧搾部ＥＤ２０を形成する。トップシート２０の上からトップシート２０と吸収体１０を厚さ方向に一緒に圧搾して本体点状圧搾部ＥＤが形成される。本体点状圧搾部ＥＤ２０は、吸収体点状圧搾部ＥＤ１０と同様に、複数の突部を有する凸ローラー（不図示）と、表面が平らなアンビルローラー（不図示）との間のロール間隙にトップシート２０を載置した吸収体１０を通して、肌側から圧搾加工を行うことで形成される（図５Ｄ）。
【００５５】
本体点状圧搾部ＥＤ２０の形成後、線状圧搾部ＥＬを形成する。線状圧搾部ＥＬは、線状圧搾部ＥＬに対応した配置パターンの複数の突部を有する凸ローラー（不図示）と、表面が平らなアンビルローラー（不図示）との間のロール間隙に、吸収体１０を通して、肌側から圧搾加工を行うことにより、線状圧搾部ＥＬが形成される。
【００５６】
その後、バックシート３０を吸収体１０の非肌側から積層して固着する。このとき、予めバックシート３０の略全面に所定の塗布パターンで接着剤ＨＭＡを塗布しておき、吸収体１０の非肌面側から、一定の圧力を加えてバックシート３０を積層する。
【００５７】
なお、本実施形態においては、吸収体点状圧搾部ＥＤ１０の形成、凹部１５の形成、トップシート２０の積層、本体点状圧搾部ＥＤ２０の形成、線状圧搾部ＥＬの形成の順で形成したが、これに限られない。まず、凹部１５を形成し、吸収体点状圧搾部ＥＤ１０を形成してもよい。また、トップシート２０を吸収体１０に積層してから、凹部１５を形成してもよい。
【００５８】
＜ナプキン１の使用時について＞
以下、ナプキン１の使用時の態様について説明する。図７は、ナプキン１の使用態様について説明する図である。着用者がナプキン１を装着する際には、まず、図７の状態Ａで表されるように、平らな状態のナプキン１を下着の股下部（クロッチ部）に固定する。このとき、吸収体１０の幅方向の長さは７０ｍｍであり、ウイング部３０ｗ（２０ｗ）を非肌側に折り曲げて、ウイング接着部４０ｗを下着の股下部外側に貼付してナプキン１が固定すると、ナプキン１の幅方向の長さは、吸収体１０の幅方向の長さと同程度となる。一般的に、着用者の股間幅は約３０ｍｍであるため、この状態Ａのナプキン１（吸収体１０）の幅方向の長さの方が長い状態となっている。通常、吸収体１０の幅方向の長さが長いほど、より多くの排泄物を吸収することができるが、吸収体１０の幅方向の長さが長すぎると、着用者の股下の幅よりも大きくなるため、着用者に違和感を与えたり、想定外の部分で折れ曲がってしまったりして、排泄物が漏れてしまう恐れがある。そのため、後述のように、着用者の身体に応じて変形させることを考慮して、吸収体１０の長さを７０ｍｍ程度とすることが適切である。
【００５９】
続いて、下着を着用者の股間２０１Ｋ側に引き上げる動作を行う。このとき、図７の状態Ｂに表すようにナプキン１は、吸収体１０の凹部１５に沿って肌側に突出するように折れ曲がる。そして、ナプキン１が着用者の股間２０１Ｋに着用された状態では、図７の状態Ｃに表すように、凹部１５に誘導されて肌側に突出した部分（図８Ａ等における肌側部位Ｈ）が、膣口等の排泄口２０１Ｈｅが存在する隙間に接しやすくなる。これにより、着用者に良好なフィット性を感じさせやすくなると共に、経血等の排泄液を漏れなく吸収体１０に吸収させ易くすることができる。また、着用者の身体の形状に応じて変形するため、着用者の股幅よりも長い幅を有する吸収体１０（ナプキン１）が着用者の身体に適したサイズとなり、排泄物の吸収量を確保しつつ、ナプキン１を着用者の身体にフィットさせることができる。
【００６０】
＜凹部１５の構成及び作用について＞
図８Ａは、図５Ｄにおける凹部１５の概略断面図、図８Ｂは、図８Ａ中における部分Ｚの拡大図である。図９Ａは、使用前のナプキン１の凹部１５を説明する図である。図９Ｂは、着用状態のナプキン１の凹部１５を説明する図であり、図７における状態Ｃの凹部１５の一部拡大図である。以下の説明における各部分の長さや深さは、周知の方法で測定することができる。例えば、ナプキン１を幅方向に切った断面を撮影した画像を用いて測定することができる。
【００６１】
凹部１５は、圧搾によって形成された溝であり、使用前のナプキン１の状態において、吸収体１０の非肌側面１０ｂの、幅方向の一方側において肌側に湾曲し始めた部分から、他方側において肌側に湾曲し終えた部分までをいう。凹部１５の幅方向の長さ１５ｗは、１．５ｍｍ〜３．５ｍｍが好ましく、本実施形態においては、長さ１５ｗは約２．４ｍｍである。この１５ｗが長いほど、吸収体１０がより折れ曲がりやすくなるが、凹部１５は圧搾によって形成されているため、繊維を押し潰して硬くなる恐れがあり、長さ１５ｗを長くするほど、排泄物等の液体を保持する容量が減少してしまう。そのため、肌側へ突出するように折り曲げるための折り曲げやすさと、排泄物を吸収する吸収体１０の液体吸収領域の確保を考慮して、凹部１５の幅方向の長さ１５ｗを２．０ｍｍ〜３．０ｍｍとすることが好ましい。
【００６２】
吸収体１０のうち、厚さ方向において、凹部１５に肌側から隣接する部位を肌側部位Ｈといい、幅方向において、凹部１５と重なる部分（図８Ａにおける濃い砂地模様の領域）である。また、幅方向において肌側部位Ｈに外側から隣接する部位を外側部位Ｌといい、各点状圧搾部ＥＤ１０、２０や凹部１５が形成されていない吸収体１０の厚みｔ１０を有する部分であり、外側部位Ｌの肌側面１０ｔ、非肌側面１０ｂは、加工前の吸収体１０の肌側面１０ｔ、非肌側面１０ｂとほぼ同じ位置である。本実施形態において、厚みｔ１０は、約１．３ｍｍである。このとき、肌側部位Ｈの繊維密度は、外側部位Ｌの繊維密度より高い。一般的に繊維密度が高いほど毛管作用によって、より速く液体を吸収することが知られている。そのため、着用状態において（図７の状態Ｃ）、肌側に隆起するように折れ曲がると、排泄口に当接する肌側部位Ｈの繊維密度が高いことによって、より速く排泄物を吸収することができる。肌側部位Ｈのうち、凹部１５の最も深い部分である最深部１５ｍに肌側から隣接する領域であり、幅方向において最深部１５ｍと重なる領域を高密度領域ＤＨという。最深部１５ｍは、幅方向に所定の長さ（例えば、約０．８ｍｍ）を有するため（図８ＡにおけるＷ）、高密度領域ＤＨは、長手方向だけでなく、幅方向に沿った平面領域を有している。
【００６３】
また、高密度領域ＤＨの厚さ方向の中央Ｈｃは、幅方向において外側部位Ｌと重なる位置における吸収体１０の厚さ方向の中央Ｌｃよりも肌側に位置している。本実施形態において、中央Ｌｃは、加工前の吸収体１０の厚さ方向の中央ｙ−ｙとほぼ同じ位置である。これによって、着用時において、着用者の股（脚）によって幅方向に力が加えられた場合でも、非肌側へ突出する変形よりも肌側へ突出するように折れ曲がることを誘導することができ、より着用者の排泄口に近い位置で排泄物を吸収することができる。
【００６４】
最深部１５ｍの深さ、つまり、外側部位Ｌの非肌側面１０ｂ（加工前の吸収体１０）から最深部１５ｍまでの厚さ方向の距離Ｌ２は、最深部１５ｍから肌側部位Ｈ（高密度領域ＤＨ）の肌側面１０ｔまでの厚さ方向の距離Ｌ１より長い（Ｌ２＞Ｌ１）。本実施形態においては、最深部１５ｍの深さＬ２を０．８ｍｍとし、最深部１５ｍから肌側部位Ｈの肌側面１０ｔまでの厚さ方向の距離Ｌ１を０．５ｍｍとして、圧縮加工により高密度領域ＤＨの繊維密度を高くしている。
【００６５】
さらに、凹部１５には、高密度領域ＤＨの幅方向の両外側に一対の肌側凹部Ｐを有している。各肌側凹部Ｐは、吸収体１０の肌側面に、長手方向に沿って設けられており、肌側凹部Ｐの最も深い部分である肌側最深部Ｐｍに接している領域（部位）を肌側凹部領域ＰＨという。
【００６６】
吸収体１０のうち、凹部１５の最深部１５ｍに接している領域（部位）の繊維密度、つまり、高密度領域ＤＨの繊維密度は、肌側凹部領域ＰＨの肌側最深部Ｐｍに接している領域（部位）の繊維密度よりも高い。そのため、まず、より繊維密度の高い高密度領域ＤＨを有する凹部１５が肌側へ折れ曲がるように誘導し、続いて、より繊維密度の低い肌側凹部領域ＰＨを有する各肌側凹部Ｐが、幅方向の外側部分を非肌側へ折れ曲がるように誘導することができる。
【００６７】
図８Ｂは、幅方向に沿ったナプキン１（吸収体１０）の断面に仮想直線Ｖを近づけて、仮想直線Ｖと吸収体１０とが２つの点で接した状態を示している。肌側凹部Ｐは、圧搾によって形成された溝であり、使用前のナプキン１の状態において、吸収体１０の肌側面１０ｔの、仮想直線と吸収体１０とが接した２つの点のうち、一方が窪み開始点で、他方が窪み終了点である。それぞれの肌側凹部Ｐの幅方向の長さＷｐは、凹部１５の幅方向の長さ１５ｗより短い。具体的には、長さＷｐは０．３ｍｍ〜１．２ｍｍが好ましく、本実施形態においては、長さＷｐは、約０．８ｍｍである。これにより、幅方向の長さがより長い凹部１５によって、吸収体１０は肌側へ折れ曲がるように誘導され、幅方向の長さがより短い肌側凹部Ｐによって、非肌側へ折れ曲がるように誘導することができる。
【００６８】
肌側凹部Ｐの深さは、仮想直線Ｖと肌側最深部Ｐｍとの距離Ｌ３をいう（図８Ｂ）。このとき、肌側凹部Ｐの深さ（Ｌ３）は、凹部１５の最深部１５ｍの深さ、つまり、外側部位Ｌの肌側面１０ｂの非肌側面１０ｂ（加工前の吸収体１０）から最深部１５ｍまでの厚さ方向の距離Ｌ２よりも小さい（Ｌ３＜Ｌ２）。具体的には、本実施形態において、肌側最深部Ｐｍの深さ（Ｌ３）は、約０．２ｍｍであり、最深部１５ｍの深さ（Ｌ２）は、約０．８ｍｍである。なお、肌側凹部Ｐの深さは、肌側最深部Ｐｍと仮想直線Ｖとの距離Ｌ３であるが、図８Ｂ等に示すように、トップシート２０と肌側最深部Ｐｍとが接着していない場合には、肌側最深部Ｐｍの深さは、トップシート２０と肌側最深部Ｐｍとの距離とほぼ等しい。
【００６９】
一対の肌側凹部Ｐを有することで、図７の状態Ｃに示す着用状態において、肌側部位Ｈが肌側に隆起するように吸収体１０が折れ曲がったとき、肌側部位Ｈのうち、各肌側凹部Ｐの間の領域が、着用者の肌に当接する部分となる（図９Ｂ）。
【００７０】
図１０Ａは、使用前のナプキン１００の凹部１５０を説明する図である。図１０Ｂは、着用状態のナプキン１００の凹部１５０を説明する図である。図１０Ａ及び図１０Ｂでは、各構成ついて、便宜上、ナプキン１と同じ番号及び記号で示している。図１０Ａに示すように、ナプキン１００は、吸収体１０の肌側面に一対の肌側凹部を有していない。ナプキン１００の吸収体１０は、凹部１５０の形成時において、リブ部５１ｒを溝部５１ｍに浅く押し込んだり、リブ部５１ｒの押し込みを短時間にしたり、リブ部５１ｒの形状を変更する等によって形成することができる。なお、一対の肌側凹部Ｐを備えない場合には、最深部１５０ｍは、所定の長さを有さない場合が多いため、図１０Ａ及び１０Ｂにおいては、最深部１５０ｍを頂点とする山型の凹部１５０を示している。
【００７１】
ナプキン１００を図７の状態Ｃにおける着用状態にすると、吸収体１０には、着用者の股によって幅方向の内側に向かって力が加えられて、肌側部位Ｈが肌側に突出するように吸収体１０が折り曲げられると、幅方向において、最深部１５０ｍが設けられている位置の繊維の密度が最も高く（高密度領域ＤＨ）、高密度領域ＤＨを頂点とする山型となりやすくなる（図１０Ｂ）。そのため、ナプキン１００を着用すると、着用者の排泄口に、頂点である高密度領域ＤＨが当接することになるため、着用者にとって違和感となる恐れがある。
【００７２】
一方、本実施形態のナプキン１は、図９Ａ等に示すように、最深部１５ｍ（高密度領域ＤＨ）の幅方向の両外側に一対の肌側凹部Ｐを有することで、図７に示す状態Ｃの着用状態で、吸収体１０の幅方向の内側に向かった力が加わると、図９Ｂに示すように、凹部１５のうち、高密度領域ＤＨを肌側に突出させるように誘導し、肌側凹部Ｐの幅方向の外側をそれぞれ非肌側に向かって折れ曲がるように誘導する。つまり、まず、より溝の深い（Ｌ２）凹部１５が肌方向へ突出する折れ曲がりを誘導し、続いて、より溝が浅い（Ｌ３）肌側凹部Ｐが、幅方向の外側部分を非肌側への折れ曲がるように誘導している。これによって、一対の肌側凹部Ｐの間の領域は、肌側凹部Ｐを設けないナプキン１００よりも、幅方向に沿った平面をより保ちやすくなる。これにより、ナプキン１（吸収体１０）が着用状態に変形した場合でも（図７の状態Ｃ）、着用者の肌に当接する部分には高密度領域ＤＨが平面状で当接するため、肌当たりを向上させることができ、着用時の違和感を軽減させることができる。
【００７３】
また、幅方向において、最も肌側に位置している高密度領域ＤＨの両外側に隣接する部分で、肌側凹部Ｐより内側には、高密度領域ＤＨより繊維密度が低い肌側部位Ｈの領域を有している（図９Ｂ）。そのため、着用状態では、着用者の肌に高密度領域ＤＨだけでなく、高密度領域ＤＨに隣接する肌側部位Ｈも一緒に当接しやすくなるため、肌触りを向上させることができる。
【００７４】
さらに、各肌側凹部Ｐは、凹部１５と幅方向において重なっている（図８、図９Ａ）。これによって、凹部１５による肌側へ突出させる変形に伴って、各肌側凹部Ｐが非肌側へ折れ曲がる誘導を行いやすくなり、肌側凹部同士の間の領域が着用者の肌に触れる平面部となりやすくなる。そのため、着用状態における肌当たりを向上させることができる。
【００７５】
最深部１５ｍは、幅方向において、一方側（図８Ａにおける左側）の肌側凹部Ｐの一方側の端と、他方側（図８Ａにおける右側）の肌側凹部Ｐの他方側の端と間における中央部に位置しており、凹部１５の幅方向の中央部は、一方側の肌側凹部Ｐの一方側の端と、他方側の肌側凹部Ｐの他方側の端と間における中央部と略同じ位置である。これによって、吸収体１０の幅方向の中央に対して左右対称に肌側に隆起するように折れ曲がりやすくなり、着用者は、幅方向について、身体の中心をナプキン１の中心に合わせることで、着用状態において着用者の排泄口にフィットさせやすくなる。
【００７６】
また、図８Ａ等に示すように、最深部１５ｍとバックシート３０とは離間しており、最深部１５ｍとバックシート３０とは、接着剤ＨＭＡによって接着されていない。これによって、吸収体１０が、凹部１５のうち特に最深部１５ｍが起点となり肌側へ突出する変形をする場合に、バックシート３０の剛性によって変形を妨げてしまう恐れを軽減することができる。
【００７７】
ナプキン１は、股間部位に形成された凹部１５によって、着用状態において（図７の状態Ｃ）、凹部１５で股間部位の吸収体１０を折り曲げて、着用者の排泄口へのフィット性を向上させている。この吸収体１０を折れ曲がりやすくするために、最深部１５ｍの深さ（Ｌ２）を、最深部１５ｍから高密度領域ＤＨの肌側面１０ｔまでの厚さ（Ｌ１）より大きくして（Ｌ２＞Ｌ１）、最深部１５ｍの深さ（Ｌ２）が、最深部１５ｍから高密度領域ＤＨの肌側面１０ｔまでの厚さ（Ｌ１）より小さい場合よりも（Ｌ２＜Ｌ１）、図７の状態Ｃのように、着用時に着用者の股（脚）から幅方向の内側への力が加えられると、凹部１５で折れ曲がりやすくなる。また、最深部１５ｍとバックシート３０とを離間させて、バックシート３０が吸収体１０の折れ曲がる変形を邪魔する恐れを軽減することができる。
【００７８】
また、図８Ａ等に示すように、肌側凹部Ｐの肌側最深部Ｐｍとトップシート２０とは離間しており、肌側最深部Ｐｍとトップシート２０とは接着剤ＨＭＡで接着されていない。これによって、より剛性の高いトップシート２０によって肌側凹部Ｐが固定されてしまう恐れを軽減することができるため、肌側凹部Ｐは変形しやすい部分として維持することができ、肌側凹部Ｐで非肌側に向かって折れ曲がり、肌側凹部Ｐ同士の間の最深部１５ｍ（高密度領域ＤＨ）を平面状に維持しやすくなり、着用者の肌当たりを向上させることができる。
【００７９】
さらに、図８Ａ等に示すように、肌側部位Ｈは肌側に突出しており、高密度領域ＤＨの肌側面１０ｔは、外側部位Ｌの肌側面１０ｔよりも肌側に位置している。これに伴い、ナプキン１の肌面側は、肌側部位Ｈに対応する部分が肌側に突出している。これによって、着用者は、使用前に、外観でも手触りでも凹部１５の存在を認識することができるため、肌側に突出して排泄口にフィットしやすいナプキンであることを知ることができるだけでなく、ナプキン１（吸収体１０）の幅方向の中央領域に設けられた凹部１５によって、着用者はナプキン１を着用しようとする際に、下着の中央位置とナプキンの中央位置を合わせやすくなる。
【００８０】
また、バックシート３０は、吸収体１０に積層する際には、厚さ方向に加圧力を作用させるため、図８Ａ、図９Ａに示すように、使用前のナプキン１の凹部１５の幅方向の端部１５ｅは、バックシート３０と接着している。つまり、バックシート３０は、凹部１５に向かってその一部が引き込まれ、凹部１５のうち、端部１５ｅはバックシート３０と接着し、端部１５ｅより幅方向の内側には接着剤ＨＭＡが存在するが、最深部１５ｍとバックシート３０とは接着していない状態となる。このナプキン１を使用すると、図９Ｂに示すように、凹部１５を肌側に突出させるように折り曲がる（図７の状態Ｃ参照）。このように、ナプキン１を折り曲げると、吸収体１０だけでなく、バックシート３０の一部分も一緒に肌側に隆起するように折れ曲がる。そのため、バックシート３０と吸収体１０とが接する領域が増えて、バックシート３０と接着していなかった端部１５ｅより内側の内側部分１５ｉが新たに接着し、使用時の折り曲げた形状を維持しやすくできる。
【００８１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８２】
上述の実施形態においては、吸収体１０の長手方向の全長に亘って凹部１５を形成したが、これに限られない。少なくとも、着用時において、着用者の股間に対応する位置である股間部位に凹部１５を設けることで、ナプキン１の幅方向の中央領域における股下部が肌側に突出しやすくなるため、着用者の排泄口に吸収体１０（ナプキン１）がフィットすることができる。ただし、ナプキン１のように、吸収体１０の全長に亘って形成することで、より吸収体１０を肌側に突出しやすくすることができる。
【００８３】
また、肌側凹部Ｐは、吸収体１０の長手方向の全長に亘って設ける必要はない。少なくとも、着用時において、着用者の股間に対応する位置である股間部位に肌側凹部Ｐを設けることで、一対の肌側凹部Ｐの間の領域をより平面に近い状態に維持することができ、排泄口へのフィット性を向上させつつ、着用者への肌当たりを向上させることができる。なお、ナプキン１の後方においては、着用者の臀部の形状に応じて吸収体１０の形状を緩やかに変化させることが望まれる等、着用状態に応じて、凹部１５及び肌側凹部Ｐを設ける領域は、適宜変更可能である。
【００８４】
また、上述の実施形態においては、図６に示すように、上ロール５１ｕのリブ部５１ｒを下ロール５１ｄの溝部５１ｍに押し込んで、頂面５１ｒｔが当接して吸収体１０の厚みが最も薄い部分を形成したが、これに限られない。図１１は、一対のロール部５０の変形例である。図１１に示すように、上ロール５１ｕのリブ部５１ｒと下ロール５１ｄの溝部５１ｍとのクリアランスを変えて、頂面５１ｒｔが当接する部分ではなく、リブ部５１ｒの斜面と溝部５１ｍの斜面とに挟まれた領域の吸収体１０の厚みを最も薄くしてもよい。これにより、着用時に着用者の肌に当接する部分を強く圧搾して硬くなってしまう恐れを軽減することができるため、肌触りを向上させることができる。
【００８５】
上述の実施形態においては、一対の肌側凹部Ｐが、凹部１５と幅方向において重なっていたがこれに限られない。凹部１５より幅方向において外側に各肌側凹部Ｐを有していてもよいし、肌側凹部Ｐのいずれか一方、又は、肌側凹部Ｐの少なくとも一部が、凹部１５と幅方向において重なっているものであってもよい。ただし、各肌側凹部Ｐを凹部１５と幅方向において重なっていることで、肌側凹部Ｐ同士の間の領域を幅方向に沿った平面となりやすくなり、肌触りを向上させることができる。
【００８６】
また、最深部１５ｍを、一方側の肌側凹部Ｐの一方側の端と、他方側の肌側凹部Ｐの他方側の端と間における中央部に設けたが、これに限られない。各肌側凹部Ｐの間において、幅方向のいずれか一方に寄った位置に最深部１５ｍを設けていてもよい。但し、最深部１５ｍを一方側の肌側凹部Ｐの一方側の端と、他方側の肌側凹部Ｐの他方側の端と間における中央部に設けることで、着用者は、幅方向における中央部で排泄物を吸収しやすくなる。
【００８７】
さらに、ナプキン１の凹部１５の最深部１５ｍには接着剤ＨＭＡが付着しておらず、最深部１５ｍとバックシート３０とが接着していないものとしたが、これに限られない。最深部１５ｍに接着剤ＨＭＡが付着していてもよく、最深部１５ｍとバックシート３０とが接着していてもよい。これによって、肌側に過度に突出してしまう恐れを軽減し、着用者の排泄口に当接する肌触りを調整することができる。
【００８８】
同様に、ナプキン１の肌側凹部Ｐの最深部Ｐｍには接着剤ＨＭＡが付着しておらず、最深部Ｐｍとトップシート３０とが接着していないものとしたが、これに限られない。最深部Ｐｍに接着剤ＨＭＡが付着していてもよく、最深部Ｐｍとトップシート２０とが接着していてもよい。
【００８９】
上述の実施形態においては、肌側部位Ｈを肌側に突出させたがこれに限られない。着用前の状態において、肌側部位Ｈの肌側面１０ｔが外側部位Ｌの肌側面１０ｔよりも非肌側に凹んでいてもよい。この場合においても、凹部１５において吸収体１０を肌側に突出させて着用者の排泄口にフィットさせることができる。
【符号の説明】
【００９０】
１  生理用ナプキン（ナプキン）、１０  吸収体、１０ｔ  肌側面、１０ｂ  非肌側面、１１  吸収性コア、１２  上側シート、１３  下側シート、１５  凹部、１５ｍ  最深部、１５ｅ  端部、１５ｉ  内側部分、２０  トップシート（肌側シート）、２０ｅ  外周縁部、２０ｗ  ウイング部、３０  バックシート（非肌側シート）、３０ｅ  外周縁部、３０ｗ  ウイング部、４０ｃ  本体接着部、４０ｗウイング接着部、５０  一対のロール部、５１ｕ  上ロール、５１ｄ  下ロール、５１ｒ  リブ部、５１ｍ  溝部、５１ｒｔ  頂面、５１ｍｂ  底面、２０１Ｋ  股間、２０１Ｈｅ  排泄口、ＤＨ  高密度領域、ＥＤ１０  吸収体点状圧搾部、ＥＤ２０  本体点状圧搾部、ＥＬ  線状圧搾部、Ｈ  肌側部位、Ｌ  外側部位、ＨＭＡ  接着剤、Ｐ  肌側凹部、Ｐｍ  肌側最深部、ＰＨ  肌側凹部領域
【図１】
2018149351.tif 000003
【図２】
2018149351.tif 000004
【図３】
2018149351.tif 000005
【図４】
2018149351.tif 000006
【図５】
2018149351.tif 000007
【図６】
2018149351.tif 000008
【図７】
2018149351.tif 000009
【図８】
2018149351.tif 000010
【図９】
2018149351.tif 000011
【図１０】
2018149351.tif 000012
【図１１】
2018149351.tif 000013